(57)【特許請求の範囲】
【請求項１】
相手ハウジングと嵌合可能なハウジングと、前記ハウジングに対して仮係止位置と本係止位置とを前記ハウジングの嵌合方向に対して斜め方向へ移動可能に装着され、前記仮係止位置では前記ハウジングに対する端子金具の挿抜を許容し、前記本係止位置では前記ハウジングに挿入された前記端子金具の抜けを規制するリテーナとを備えたコネクタであって、
前記ハウジングにはロック部が設けられ、前記リテーナには前記ロック部に係止可能なロック受け部が設けられており、
前記ロック部と前記ロック受け部とが、前記本係止位置において、前記ハウジングの嵌合方向に対して前記リテーナの移動方向と直角な向き側へ傾いて係止し合い、
前記ロック受け部は、前記リテーナの端縁寄りに位置し、その一端から他端にかけて前記リテーナの端縁から離れる向きに傾斜して形成され、
前記リテーナには、このリテーナの端縁と前記ロック受け部との間に、前記ロック受け部の一端から他端にかけて次第に増高する増高領域が形成され、
前記ロック部と前記ロック受け部とが、前記本係止位置において前記リテーナの移動方向と直角な向きではない方向に傾いて係止し合うことを特徴とするコネクタ。
【請求項２】
前記ハウジングには、前記リテーナの組付方向に対向する面とそれに隣接する両側面の３面にまたがって開口するリテーナ差込孔が形成されており、
前記リテーナは、基部とその両側から立ち上がる一対の側板部とを備え、前記両側板部が前記ハウジングの両側面におけるリテーナ差込孔とその周辺を被覆可能とされており、
前記ロック受け部は前記リテーナの側板部の内面に設けられ、前記ロック部は前記リテーナ差込孔の周辺に設けられている請求項１記載のコネクタ。
【発明の詳細な説明】
【技術分野】
【０００１】
本発明は、コネクタに関する。
【背景技術】
【０００２】
特許文献１に記載のコネクタは、相手ハウジングと嵌合可能なハウジングと、ハウジングに開口して形成されたリテーナ差込孔内に装着され、ハウジングに対して仮係止位置と本係止位置とをハウジングの嵌合方向に対して斜め方向に移動可能とされたリテーナとを備えて構成されている。リテーナは、仮係止位置ではハウジングに対する端子金具の挿抜を許容し、本係止位置ではハウジングに挿入された端子金具の抜けを規制するようになっている。そして、ハウジングにはロック部が設けられ、リテーナにはロック部と係止可能なロック受け部が設けられており、ロック部とロック受け部とが本係止位置においてハウジングの嵌合方向に沿って係止し合うようになっている。
【特許文献１】特開２００５−５１２６公報
【発明の開示】
【発明が解決しようとする課題】
【０００３】
ところで、リテーナが本係止位置にあるときに、端子金具に接続された電線が後方へ引っ張られ、リテーナに対して仮係止位置側への斜め方向の離脱力が作用することがある。このとき、リテーナの離脱方向はロック部とロック受け部とが係止し合う方向に対してやや傾きながらも同方向に沿うような方向となるため、離脱力が過大であると、ロック部とロック受け部との係止状態が解かれ、リテーナが不用意に外れてしまうおそれがある。
【０００４】
本発明は上記のような事情に基づいて完成されたものであって、リテーナの不用意な離脱を防止することを目的とする。
【課題を解決するための手段】
【０００５】
上記の目的を達成するための手段として、請求項１の発明は、相手ハウジングと嵌合可能なハウジングと、前記ハウジングに対して仮係止位置と本係止位置とを前記ハウジングの嵌合方向に対して斜め方向へ移動可能に装着され、前記仮係止位置では前記ハウジングに対する端子金具の挿抜を許容し、前記本係止位置では前記ハウジングに挿入された前記端子金具の抜けを規制するリテーナとを備えたコネクタであって、前記ハウジングにはロック部が設けられ、前記リテーナには前記ロック部に係止可能なロック受け部が設けられており、前記ロック部と前記ロック受け部とが、前記本係止位置において、前記ハウジングの嵌合方向に対して前記リテーナの移動方向と直角な向き側へ傾いて係止し合い、
【０００６】
前記ロック受け部は、前記リテーナの端縁寄りに位置し、その一端から他端にかけて前記リテーナの端縁から離れる向きに傾斜して形成され、前記リテーナには、このリテーナの端縁と前記ロック受け部との間に、前記ロック受け部の一端から他端にかけて次第に増高する増高領域が形成され、
【０００７】
前記ロック部と前記ロック受け部とが、前記本係止位置において前記リテーナの移動方向と直角な向きではない方向に傾いて係止し合うところに特徴を有する。
【０００８】
請求項２の発明は、請求項１に記載のものにおいて、前記ハウジングには、前記リテーナの組付方向に対向する面とそれに隣接する両側面の３面にまたがって開口するリテーナ差込孔が形成されており、前記リテーナは、基部とその両側から立ち上がる一対の側板部とを備え、前記両側板部が前記ハウジングの両側面におけるリテーナ差込孔とその周辺を被覆可能とされており、前記ロック受け部は前記リテーナの側板部の内面に設けられ、前記ロック部は前記リテーナ差込孔の周辺に設けられているところに特徴を有する。
【発明の効果】
【００１０】
＜請求項１の発明＞
ロック部とロック受け部とが本係止位置においてハウジングの嵌合方向に対してリテーナの移動方向と直角な向き側へ傾いて係止し合うから、端子金具に接続された電線がハウジングの嵌合方向後方へ引っ張られても、ロック部とロック受け部との係止状態が容易に解かれることはない。したがって、リテーナが不用意に離脱されるのを回避できる。
【００１１】
また、ロック受け部がリテーナの端縁寄りに位置してその一端から他端にかけてリテーナの端縁から離れる向きに傾斜して形成されているから、ロック受け部の他端側とリテーナの端縁との間に増高の領域が形成される。したがって、ロック受け部がリテーナの端縁寄りに位置しているという事情があっても、増高領域によって保護されるとともに、強度を高めることができる。
【００１２】
また、ロック部とロック受け部とが本係止位置においてリテーナの移動方向と直角な向きではない方向に沿って係止し合うから、ロック部とロック受け部とがリテーナの移動方向と直角な向きに沿って係止し得ない事情がある場合にも適用可能となる。
【００１３】
＜請求項２の発明＞
ロック部がリテーナ差込孔の周辺に設けられているから、ロック部の形成領域が狭くなり、ロック受け部との係止代を充分に確保できないおそれがあるが、本発明によれば、ロック部がリテーナの移動方向と直角な向き側へ傾きながらも直角な向きではない方向に傾いて形成されているから、ロック受け部との係止代を充分に確保できる。
【発明を実施するための最良の形態】
【００１５】
＜実施形態１＞
本発明の実施形態１を図１ないし図１０によって説明する。実施形態１のコネクタは、ハウジング１０と、リテーナ４０と、端子金具７０とを備えて構成されている。
【００１６】
ハウジング１０は合成樹脂製であって、全体としてブロック状をなし、図９に示すように、内部に、雌型の端子金具７０を収容可能なキャビティ１１が前後方向に貫通して設けられている。キャビティ１１は高さ方向（上下方向）に複数段（詳細には２段）でかつ幅方向（左右方向）に複数列となって配置され、その内面に端子金具７０を抜け止めするためのランス１２が撓み可能に設けられている。ハウジング１０の上面の幅方向中央部には、図３に示すように、相手ハウジング（図示せず）を嵌合状態に保持するロックアーム１３が設けられている。ロックアーム１３は、幅方向に一対の脚部１４と両脚部１４に揺動変位可能（弾性変位可能）に支持されながら後方へ延出されるアーム本体１５とからなり、両脚部１４を支点としてアーム本体１５が高さ方向に撓み変形することにより、相手ハウジングをロック可能とされている。ハウジング１０の上面の後端部にはアーム本体１５の後端周りを覆うブリッジ部１６が架設され、このブリッジ部１６によってロックアーム１３に対する不用意な解除操作が規制可能とされている。
【００１７】
ハウジング１０には、図１に示すように、全キャビティ１１に連通するリテーナ差込孔１７が設けられている。リテーナ差込孔１７は、ハウジング１０の下面にリテーナ挿入口１８を有するとともに、ハウジング１０の両側面に一対の側面開口１９を有し、もってハウジング１０の下面及び両側面の３面に開口されている。リテーナ差込孔１７の後面は斜め前下向きの斜面２０とされ、この斜面２０に沿ってリテーナ４０が前後方向（嵌合方向Ｘ）に対して斜め方向Ｙに移動可能となっている。
【００１８】
ハウジング１０の両側面には、側面開口１９の周辺に、隣接する側面より一段落ちた凹所２１、２２が形成されている。凹所２１、２２は、リテーナ差込孔１７の前縁の下部前方に位置する前側凹所２１と、リテーナ差込孔１７の前縁より後方に位置してハウジング１０の後面に開放される後側凹所２２とからなる。後側凹所２２には、リテーナ差込孔１７の後縁に沿うように延びるガイド部２３が突出して設けられている。また、後側凹所２２には、リテーナ差込孔１７の下端後縁の近傍に、リテーナ４０の仮係止位置からの離脱を規制する抜止部２４が突出して設けられている。抜止部２４の下面は外側に向けて傾斜するガイド面２５とされ、抜止部２４の上面は略水平な抜止面２６とされている。リテーナ差込孔１７の斜面２０には、抜止部２４の直前方に、リテーナ４０の本係止位置への移動を規制する仮係止部２７が切り欠いて設けられている。
【００１９】
そして、後側凹所２２には、リテーナ差込孔１７の上端縁の近傍でかつその後上方に、リテーナ４０が本係止位置から仮係止位置側へ戻り移動するのを規制するロック部２８が突出して設けられている。ロック部２８は、全体として前下がりの形態をなし、嵌合方向Ｘに対してリテーナ４０の移動方向Ｙと直角な向きＺ側へ傾きながらも直角な向きＺとは一致しない方向に延び、その延び方向に沿ったロック面２９を有している。ロック面２９は、嵌合方向Ｘに沿った水平線Ａとリテーナ４０の移動方向Ｙと直角な向きＺに沿った斜め線Ｂとの間に囲まれる領域に配置されている。ロック部２８の上面はロック面２９とその後端に連なる水平面３０とによって構成され、水平面３０の上方は後側凹所２２の上縁を仕切る梁部３１との間に略平行な組付空間３２を有している。また、ロック部２８の下面はリテーナ４０の本係止位置への乗り上げを案内するガイド斜面３３とされている。
【００２０】
ハウジング１０の両側面の前後方向略中央部には、後側凹所２２の前端を仕切る張出部３４が梁部３１と略直角に連なりかつ高さ方向に延出して設けられている。張出部３４は、ロック部２８の前方と対応する位置に、ロック部２８の成形に伴って形成される前後方向の貫通孔３５を有している。図３に示すように、ロック部２８は貫通孔３５を通して前方からも視認可能となっている。
【００２１】
続いて、リテーナ４０について説明すると、リテーナ４０は同じく合成樹脂製であって、図５〜図７に示すように、幅方向に長い基部４１と、基部４１の幅方向両端から上方に立ち上がる一対の側板部４２とを備えて構成されている。基部４１の後面は斜め後上向きの斜面４３とされている。リテーナ４０は斜面４３をハウジング１０側の斜面２０に摺動させながら仮係止位置と本係止位置とを嵌合方向Ｘに対して斜め方向Ｙに移動可能とされ、仮係止位置から本係止位置にかけて斜め前上方へ押し込み操作され、本係止位置から仮係止位置にかけて斜め後下方へ引き下げ操作される。基部４１には、本係止位置において下段のキャビティ１１と対応する位置に端子金具７０の挿通孔４４が貫通して形成されている。各挿通孔４４の下側の孔縁には下段に挿入された各端子金具７０を抜け止めする下側係止突部４５が形成されているとともに、基部４１の上縁には上段に挿入された各端子金具７０を抜け止めする上側係止突部４６が形成されている。そして、基部４１の斜面４３には、仮係止位置において仮係止部２７に嵌合係止される小突起状の仮係止受け部４７が設けられている。基部４１の後端には本係止位置において仮係止部２７に嵌合される薄肉の嵌合片４８が斜面４３の終端に連なって設けられている。
【００２２】
仮係止位置では、図９に示すように、上側係止突部４６及び下側係止突部４５がキャビティ１１より外側に待避することにより、各キャビティ１１内に後方から端子金具７０を挿入可能とされ、かつ各キャビティ１１から端子金具７０を抜出可能とされている。一方、本係止位置では、図１０に示すように、上側係止突部４６及び下側係止突部４５がキャビティ１１内に進入して、各キャビティ１１内に正規挿入された端子金具７０の本体部７１（後述する）の後端を係止することにより、各端子金具７０のキャビティ１１からの抜け出しを規制する。
【００２３】
両側板部４２には、ガイド部２３が嵌合されかつリテーナ４０の移動に伴ってガイド部２３が摺動可能なガイド孔４９が貫通して設けられている。両側板部４２の前縁下部には前板部５０が前方へ突出して設けられ、この前板部５０は本係止位置において前側凹所２１に嵌合される。また、両側板部４２の後縁下部には、仮係止位置において抜止部２４が嵌合するとともに抜止面２６に係止される抜止受け部５１が切り欠いて設けられている。
【００２４】
そして、両側板部４２の内面には、ガイド孔４９より上方であって上端縁寄りの位置に、ロック部２８と係止可能なロック受け部５２が突出して設けられている。ロック受け部５２は、全体として前下がりの形態をなし、嵌合方向Ｘに対してリテーナ４０の移動方向Ｙと直角な向きＺ側へ傾きながらも直角な向きＺとは一致しない方向に延び、その延び方向に沿ったロック受け面５３を有している。ロック受け面５３は、嵌合方向Ｘに沿った水平線Ａとリテーナ４０の移動方向と直角な向きに沿った斜め線Ｂとの間に囲まれる領域に配置されている。ロック受け面５３は、ロック受け部５２の下面によって構成され、その前端に、ロック受け部５２の突出端面とほぼ同じ平面上に位置するガイド孔４９の周縁部が連なっている。ロック受け部５２の上面はリテーナ４０の本係止位置への乗り上げを案内するガイド傾斜面５４とされている。
【００２５】
ロック受け部５２の後端は両側板部４２の上端縁とほぼ同じ高さ位置にあり、ロック受け部５２の前端は両側板部４２の前端縁とほぼ同じ前後位置でかつ両側板部４２の上端縁から高さ方向に離れて位置している。詳しくはロック受け部５２は、その後端から前端にかけて両側板部４２の上端縁との距離を次第に広げる向きに形成されている。両側板部４２の上端縁とロック受け部５２の上端縁との間には、高さ方向に増高された三角形状の増高領域５５が形成されている。この増高領域５５は、本係止位置においてハウジング１０側の組付空間３２に嵌合される。
【００２６】
端子金具７０は導電性の金属板を曲げ加工して成形され、図９に示すように、前部に角筒状の本体部７１を有し、後部にオープンバレル状のバレル部７２を有している。本体部７１は相手ハウジングに収容された相手端子（図示せず）を受け入れて相手端子と接続され、バレル部７２は電線９０の端末に圧着されて電線９０と接続される。ハウジング１０の後面からは各端子金具７０に接続された電線９０が後方へ引き出されている。
【００２７】
次に本実施形態の作用効果を説明する。  
ハウジング１０のリテーナ差込孔１７にリテーナ挿入口１８を通してリテーナ４０を挿入し、仮係止部２７と仮係止受け部４７、及び抜止部２４と抜止受け部５１とを互いに係止させることにより、リテーナ４０を仮係止位置に移動規制状態で留め置く。このとき、図２、図８（Ａ）に示すように、ロック受け部５２のガイド傾斜面５４がロック部２８のガイド斜面３３に下から当接することによってもリテーナ４０の本係止位置への移動が規制される。この状態で、図９に示すように、各キャビティ１１内に後方から端子金具７０を挿入し、正規挿入された端子金具７０をランス１２によって弾性的に一次係止する。
【００２８】
続いて、リテーナ４０に対して斜め前上方への押し込み力を付与する。すると、仮係止部２７と仮係止受け部４７との係止状態が解除され、かつガイド傾斜面５４とガイド斜面３３とが互いに摺動することで両側板部４２が外側に撓み変形され、もってリテーナ４０の本係止位置への移動が許容される。このとき、仮に、端子金具７０が正規挿入されずに半挿入状態で留め置かれていた場合には、嵌合方向Ｘに対して斜め方向Ｙに移動するリテーナ４０によって端子金具７０が強制的に正規挿入状態に至らしめられる。
【００２９】
リテーナ４０が本係止位置に至ると、図４に示すように、両側板部４２の上端縁が梁部３１の下縁に当て止めされるとともに、両側板部４２の前端縁が張出部３４の後縁に当て止めされて、リテーナ４０のそれ以上先方への移動が規制される。またリテーナ４０が本係止位置に至ると、ハウジング１０の下面に基部４１の下面がほぼ面一で連なるとともに、ハウジング１０の両側面（凹所２１、２２を除く）に両側板部４２の外面がほぼ面一で連なる。さらにリテーナ４０が本係止位置に至ると、図８（Ｂ）に示すように、ロック受け部５２がロック部２８を乗り越え、両側板部４２の復元を伴いつつロック受け面５３がロック面２９に係止されて、リテーナ４０の仮係止位置側への戻り移動が規制される。このとき、ロック受け面５３とロック面２９とは、ハウジング１０の嵌合方向Ｘに対してリテーナ４０の移動方向Ｙと直角な向きＺ側へ傾いた方向に沿って係止し合うこととなる。また、図１０に示すように、キャビティ１１内に正規挿入された端子金具７０は上側係止突部４６及び下側係止突部４５によって抜け止め状態に二次係止される。その後、前方から相手ハウジングが嵌合され、ハウジング１０はリテーナ４０とともにその略全体が相手ハウジング内に収容される。
【００３０】
ところで、ハウジング１０の後面から導出される電線９０が引っ張られると、リテーナ４０に対して戻り方向の離脱力が作用して、リテーナ４０が仮係止位置側に戻ったり、ハウジング１０から外れたりするおそれがある。しかし、本実施形態の場合、ロック部２８とロック受け部５２とは、本係止位置において、ハウジング１０の嵌合方向Ｘに対してリテーナ４０の移動方向Ｙと直角な向きＺ側へ傾いた面（ロック面２９、ロック受け面５３）に沿って係止し合う構成とされているため、ハウジング１０の嵌合方向Ｘに配置された面に沿って係止し合うよりも、リテーナ４０の離脱力に抗し易い構造となり、リテーナ４０が容易に戻り方向に移動されることがない。したがって、リテーナ４０の不用意な離脱が防止される。
【００３１】
また、ロック受け部５２がリテーナ４０の両側板部４２の上端縁寄りに位置してその後端から前端にかけて両側板部４２の上端縁から離れる向きに傾斜して形成されているから、ロック受け部５２の前端側とリテーナ４０の上端縁との間に増高領域５５が形成される。したがって、ロック受け部５２がリテーナ４０の上端縁寄りに位置しているという事情があっても、増高領域５５によってロック受け部５２が保護状態に置かれるとともに、ロック受け部５２の強度を高めることができる。
【００３２】
また、ロック部２８がハウジング１０の両側面における側面開口１９の周辺に設けられているから、スペース上の制約によってロック部２８の形成領域が狭くなり、ロック部２８がロック受け部５２との係止代を充分に確保し得ないおそれがある。しかるに本実施形態によれば、ロック部２８とロック受け部５２とは、本係止位置においてリテーナ４０の移動方向Ｙと直角な向きＺではない方向に沿って係止し合うため、直角な向きＺに沿って係止し合うよりも、ロック部２８の形成領域を充分に長くでき、ひいてはロック部２８とロック受け部５２との係止代を充分に確保できる。
【００３３】
＜他の実施形態＞
本発明は上記記述及び図面によって説明した実施形態に限定されるものではなく、例えば次のような実施形態も本発明の技術的範囲に含まれる。  
（１）リレーナ差込孔は、ハウジングの一面のみに開口する形態であってもよい。
【図面の簡単な説明】
【００３４】
【図１】本発明の実施形態１のコネクタにおいて、ハウジングの側面図である。
【図２】リテーナが仮係止位置にあるときの側面図である。
【図３】リテーナが仮係止位置にあるときの正面図である。
【図４】リテーナが本係止位置にあるときの側断面図である。
【図５】リテーナの正面図である。
【図６】図５のＫ−Ｋ断面図である。
【図７】リテーナの平面図である。
【図８】（Ａ）図２のＳ−Ｓ断面図である。(Ｂ）図４のＦ−Ｆ断面図である。
【図９】リテーナが仮係止位置にあって端子金具が挿入されたときの側断面図である。
【図１０】リテーナが本係止位置にあって端子金具を係止したときの側断面図である。
【符号の説明】
【００３５】
１０…ハウジング
１１…キャビティ
１７…リテーナ差込孔
２８…ロック部
４０…リテーナ
４１…基部
４２…側板部
５２…ロック受け部
７０…端子金具
９０…電線
【図１】
0005120062.tif 000002
【図２】
0005120062.tif 000003
【図３】
0005120062.tif 000004
【図４】
0005120062.tif 000005
【図５】
0005120062.tif 000006
【図６】
0005120062.tif 000007
【図７】
0005120062.tif 000008
【図８】
0005120062.tif 000009
【図９】
0005120062.tif 000010
【図１０】
0005120062.tif 000011